(57)【特許請求の範囲】
【請求項１】
上方に開口した点検口と、側部に形成され、排水が流入する流入口と、側部に形成され、排水が流出する第１流出口と、側部または底部であって前記第１流出口よりも下方の位置に形成され、排水が流出する第２流出口とを有する略有底筒状のます本体と、
前記ます本体内に設けられ、前記流入口から前記第１流出口へ排水が流れるように、前記流入口と前記第１流出口とを連通させる第１切替位置と、前記流入口から前記第２流出口へ排水が流れるように、前記流入口と前記第２流出口とを連通させる第２切替位置との間で位置変更が可能な流路切替手段と、
前記ます本体内に設けられ、前記流路切替手段が前記第１切替位置に配置されたとき、前記流路切替手段を支持する支持面と、
前記支持面よりも上方において前記ます本体の内面から内方に向かって延び、可撓性を有する部材によって形成された確認部と、
を備え、
前記流路切替手段は、前記ます本体に対して離間することで前記第１切替位置と前記第２切替位置との間で位置変更して、排水の流路を切り替え、
前記流路切替手段は、前記第１切替位置に配置されたとき、前記確認部の下方に位置し、かつ、前記ます本体の側面に向かって延びる突出部を備え、
前記確認部は、前記流路切替手段を前記第１切替位置に配置する途中において、上方から下方に向けて移動する前記突出部と接触することで撓み、前記流路切替手段が前記第１切替位置に配置されると、前記突出部の上方の位置に復元するように構成されている、排水ます。
【請求項２】
前記突出部は、前記流路切替手段が前記第１切替位置に配置されたときに、前記突出部の先端部が前記確認部から下方に離間し、かつ、前記確認部の内端よりも外方に位置するように構成されている、請求項１に記載の排水ます。
【請求項３】
前記第２流出口は、下方に開口するように前記ます本体の底部に設けられ、
前記流路切替手段は、前記第２流出口を開閉自在に設けられた蓋体であり、
前記第１切替位置は、前記蓋体が前記第２流出口を閉鎖する位置であり、
前記第２切替位置は、前記蓋体が前記第２流出口を開放する位置である、請求項１または２に記載された排水ます。
【請求項４】
前記蓋体は、前記第１切替位置に配置されたときに前記流入口と前記第１流出口とを繋ぐインバート部を備え、
前記突出部は、前記インバート部の側部から外方に突出している、請求項３に記載された排水ます。
【請求項５】
上方に開口した点検口と、側部に形成され、排水が流入する流入口と、側部に形成され、排水が流出する第１流出口と、側部または底部であって前記第１流出口よりも下方の位置に形成され、排水が流出する第２流出口とを有する略有底筒状のます本体と、
前記ます本体内に設けられ、前記流入口から前記第１流出口へ排水が流れるように、前記流入口と前記第１流出口とを連通させる第１切替位置と、前記流入口から前記第２流出口へ排水が流れるように、前記流入口と前記第２流出口とを連通させる第２切替位置との間で位置変更が可能な流路切替手段と、
前記ます本体内に設けられ、前記流路切替手段が前記第１切替位置に配置されたとき、前記流路切替手段を支持する支持面と、
前記支持面よりも上方において前記ます本体の内面から内方に向かって延び、可撓性を有する部材によって形成された確認部と、
を備え、
前記流路切替手段は、前記第１切替位置に配置されたとき、前記確認部の下方に位置し、かつ、前記ます本体の側面に向かって延びる突出部を備え、
前記確認部は、前記流路切替手段を前記第１切替位置に配置する途中において、上方から下方に向けて移動する前記突出部と接触することで撓み、前記流路切替手段が前記第１切替位置に配置されると、前記突出部の上方の位置に復元するように構成され、
前記第２流出口は、下方に開口するように前記ます本体の底部に設けられ、
前記流路切替手段は、前記第２流出口を開閉自在に設けられた蓋体であり、
前記第１切替位置は、前記蓋体が前記第２流出口を閉鎖する位置であり、
前記第２切替位置は、前記蓋体が前記第２流出口を開放する位置であり、
前記蓋体は、前記第１切替位置に配置されたときに前記流入口と前記第１流出口とを繋ぐインバート部を備え、
前記突出部は、前記インバート部の側部から外方に突出し、
前記確認部は、平面視において、前記第２流出口を挟んで対向するように前記ます本体の内面に２つ設けられ、
前記支持面は、前記確認部の下方に２つ設けられ、
前記突出部は、平面視において、前記インバート部を挟んで対向するように２つ設けられている、排水ます。
【請求項６】
前記２つの確認部は、互いに同じ高さの位置に設けられ、
前記２つの支持面は、互いに同じ高さの位置に設けられている、請求項５に記載された排水ます。
【請求項７】
上方に開口した点検口と、側部に形成され、排水が流入する流入口と、側部に形成され、排水が流出する第１流出口と、側部または底部であって前記第１流出口よりも下方の位置に形成され、排水が流出する第２流出口とを有する略有底筒状のます本体と、
前記ます本体内に設けられ、前記流入口から前記第１流出口へ排水が流れるように、前記流入口と前記第１流出口とを連通させる第１切替位置と、前記流入口から前記第２流出口へ排水が流れるように、前記流入口と前記第２流出口とを連通させる第２切替位置との間で位置変更が可能な流路切替手段と、
前記ます本体内に設けられ、前記流路切替手段が前記第１切替位置に配置されたとき、前記流路切替手段を支持する支持面と、
前記支持面よりも上方において前記ます本体の内面から内方に向かって延び、可撓性を有する部材によって形成された確認部と、
を備え、
前記流路切替手段は、前記第１切替位置に配置されたとき、前記確認部の下方に位置し、かつ、前記ます本体の側面に向かって延びる突出部を備え、
前記確認部は、前記流路切替手段を前記第１切替位置に配置する途中において、上方から下方に向けて移動する前記突出部と接触することで撓み、前記流路切替手段が前記第１切替位置に配置されると、前記突出部の上方の位置に復元するように構成され、
前記第２流出口は、下方に開口するように前記ます本体の底部に設けられ、
前記流路切替手段は、前記第２流出口を開閉自在に設けられた蓋体であり、
前記第１切替位置は、前記蓋体が前記第２流出口を閉鎖する位置であり、
前記第２切替位置は、前記蓋体が前記第２流出口を開放する位置であり、
前記蓋体を前記第１切替位置に配置したとき、前記支持面よりも第２流出口側であって、前記蓋体と前記ます本体との間には、空間が形成されている、排水ます。
【請求項８】
請求項１から７までの何れか一つに記載された排水ますと、
上流端が排水設備に接続され、下流端が前記流入口に接続された流入管路と、
上流端が前記第１流出口に接続され、下流端が下水本管に接続された流出管路と、
前記第２流出口に接続され、排水を貯留する貯留槽と、
を備えた、排水システム。
【発明の詳細な説明】
【技術分野】
【０００１】
本発明は、排水ますおよびそれを備えた排水システムに関する。
【背景技術】
【０００２】
従来から、排水設備から下水本管に排水を排出する排水システムが知られている。排水設備としては、例えば、トイレ、風呂、または台所の流し台などが挙げられる。この種の排水システムは、排水設備と下水本管とを繋ぐ流出管路を備えている。排水設備から排出された排水は、流出管路を通じて下水本管へ排出される。
【０００３】
ところで、大規模な地震または津波などの災害が発生した場合、下水本管が破損するおそれがある。下水本管が破損してしまった場合、排水が下水本管から外部に漏れてしまうおそれがある。
【０００４】
特許文献１には、排水の流路を切り替えることが可能な流路切替機能を有する排水ますが開示されている。この排水ますは、略筒状のます本体と、蓋体とを備えている。ます本体には、側部に流入口および第１流出口が形成され、底部に第２流出口が形成されている。蓋体は、第２流出口に着脱可能に設けられている。例えば、流入口には排水設備が接続され、第１流出口には下水本管が接続される。第２流出口には貯留槽が接続される。この排水ますでは、通常時、第２流出口は蓋体によって閉鎖されている。このため、通常時、排水設備から流入口を通じてます本体内に流入した排水は、第１流出口を通じて下水本管に排出される。一方、災害時では、蓋体を第２流出口から取り外すことで、第２流出口は開放される。よって、災害時、排水設備から流入口を通じてます本体内に流入した排水は、第２流出口から貯留槽へ排出される。
【先行技術文献】
【特許文献】
【０００５】
【特許文献１】特開２０１０−１３８５９３号公報
【発明の概要】
【発明が解決しようとする課題】
【０００６】
ところで、特許文献１に記載された排水ますでは、通常時、蓋体を第２流出口に装着することで、第２流出口は閉鎖される。通常時、蓋体を第２流出口に装着する際、作業者は蓋体が第２流出口に対してずれないように、第２流出口に注意深く装着していた。
【０００７】
本発明はかかる点に鑑みてなされたものであり、その目的は、排水の流路の切り替えが可能な流路切替手段を備えた排水ますであって、排水の流路を切り替える際、流路切替手段が正しく配置されていることを確認することができる排水ますおよびそれを備えた排水システムを提供することである。
【課題を解決するための手段】
【０００８】
本発明に係る排水ますは、略有底筒状のます本体と、流路切替手段と、支持面と、確認部とを備えている。前記ます本体は、上方に開口した点検口と、側部に形成され、排水が流入する流入口と、側部に形成され、排水が流出する第１流出口と、側部または底部であって前記第１流出口よりも下方の位置に形成され、排水が流出する第２流出口とを有する。前記流路切替手段は、前記ます本体内に設けられ、前記流入口から前記第１流出口へ排水が流れるように、前記流入口と前記第１流出口とを連通させる第１切替位置と、前記流入口から前記第２流出口へ排水が流れるように、前記流入口と前記第２流出口とを連通させる第２切替位置との間で位置変更が可能である。前記支持面は、前記ます本体内に設けられ、前記流路切替手段が前記第１切替位置に配置されたとき、前記流路切替手段を支持する。前記確認部は、前記支持面よりも上方において前記ます本体の内面から内方に向かって延び、可撓性を有する部材によって形成されている。前記流路切替手段は、前記第１切替位置に配置されたとき、前記確認部の下方に位置し、かつ、前記ます本体の側面に向かって延びる突出部を備えている。前記確認部は、前記流路切替手段を前記第１切替位置に配置する途中において、上方から下方に向けて移動する前記突出部と接触することで撓み、前記流路切替手段が前記第１切替位置に配置されると、前記突出部の上方の位置に復元するように構成されている。
【０００９】
前記排水ますによれば、流路切替手段を第１切替位置に配置する途中において、流路切替手段の突出部と確認部とが接触することで、確認部は撓む。そして、流路切替手段が第１切替位置に正しく配置されたとき、流路切替手段の突出部は、確認部の下方に位置し、かつ、ます本体の側面に向かって延びている。このとき、確認部は、突出部の上方の位置に復元する。よって、作業者は、流路切替手段を第１切替位置に配置しようとしたとき、点検口を通じて、確認部が突出部の上方の位置に復元していることを確認することで、流路切替手段が正しく配置されていることを確認することができる。一方、作業者は、流路切替手段を第１切替位置に配置しようとしたとき、点検口を通じて、突出部と確認部とが接触して確認部が撓んでいることを確認することで、流路切替手段が正しく配置されていないことを確認することができる。
【００１０】
本発明の好ましい一態様によれば、前記突出部は、前記流路切替手段が前記第１切替位置に配置されたときに、前記突出部の先端部が前記確認部から下方に離間し、かつ、前記確認部の内端よりも外方に位置するように構成されている。
【００１１】
上記態様によれば、流路切替手段を第１切替位置に配置しようとしたとき、作業者は、点検口を通じて、突出部の少なくとも一部が確認部によって隠れており、かつ、確認部の上面全体が目視できるかを確認することで、流路切替手段が正しく配置されていることを確認することができる。
【００１２】
本発明の好ましい一態様によれば、前記第２流出口は、下方に開口するように前記ます本体の底部に設けられている。前記流路切替手段は、前記第２流出口を開閉自在に設けられた蓋体である。前記第１切替位置は、前記蓋体が前記第２流出口を閉鎖する位置である。前記第２切替位置は、前記蓋体が前記第２流出口を開放する位置である。
【００１３】
上記態様によれば、蓋体で第２流出口を閉鎖したり開放したりするという簡単な構成で、ます本体内を流れる排水の流路を切り替えることができる。例えば、作業者は、点検口を通じて蓋体を操作することによって、第２流出口を開閉することができる。よって、作業者が排水の流路を容易に切り替えることができる。
【００１４】
本発明の好ましい他の一態様によれば、前記蓋体は、前記第１切替位置に配置されたときに前記流入口と前記第１流出口とを繋ぐインバート部を備えている。前記突出部は、前記インバート部の側部から外方に突出している。
【００１５】
上記態様によれば、蓋体を第１切替位置に配置したとき、インバート部によって流入口と第１流出口とが繋がる。よって、このとき、流入口からます本体内に流入した排水をインバート部を通じて第１流出口へ流すことができる。蓋体は、インバート部の側部から外方に突出した突出部によって支持面に支持されている。よって、排水がインバート部を流れる際に排水の流れを遮ることなく、蓋体を第１切替位置に配置することができる。
【００１６】
本発明の好ましい他の一態様によれば、前記確認部は、平面視において、前記第２流出口を挟んで対向するように前記ます本体の内面に２つ設けられている。前記支持面は、前記確認部の下方に２つ設けられている。前記突出部は、平面視において、前記インバート部を挟んで対向するように２つ設けられている。
【００１７】
上記態様によれば、蓋体を第１切替位置に配置するとき、蓋体が２つの支持面によって支持されている。よって、蓋体を安定して支持することができる。蓋体を第１切替位置に配置しようとするとき、２つの確認部によって、蓋体の突出部が支持面に正しく配置されているかを確認することができる。したがって、蓋体が第１切替位置に正しく配置されているかをより正確に確認することができる。
【００１８】
本発明の好ましい他の一態様によれば、前記２つの確認部は、互いに同じ高さの位置に設けられている。前記２つの支持面は、互いに同じ高さの位置に設けられている。
【００１９】
上記態様によれば、蓋体を第１切替位置に配置するとき、蓋体の突出部の何れか一方が確認部と接触してその確認部が撓んでいる場合、蓋体は、ます本体に対して斜めに配置されていることになる。よって、作業者は、蓋体が斜めに配置されていることを確認することができる。
【００２０】
本発明の好ましい他の一態様によれば、前記蓋体を前記第１切替位置に配置したとき、前記支持面よりも第２流出口側であって、前記蓋体と前記ます本体との間には、空間が形成されている。
【００２１】
上記態様によれば、例えば、蓋体を第１切替位置に配置した状態で、蓋体の突出部と支持面との間に排水が流れた場合、蓋体とます本体との間に形成された空間に、その排水を一時的に溜めることができる。よって、蓋体を第１切替位置に配置したとき、突出部と支持面との間に流れた排水が第２流出口に流れることを防止することができる。
【００２２】
本発明の排水システムは、上述した何れかの排水ますと、上流端が排水設備に接続され、下流端が前記流入口に接続された流入管路と、上流端が前記第１流出口に接続され、下流端が下水本管に接続された流出管路と、前記第２流出口に接続され、排水を貯留する貯留槽と、を備えている。
【００２３】
前記排水システムによれば、流出管路または下水本管が破損した場合であっても、排水ますによって、ます本体内を流れる排水の流路を切り替えることで、排水設備から流入管路に流入する排水を、排水ますを通じて貯留槽に排出することができる。
【発明の効果】
【００２４】
排水の流路の切り替えが可能な流路切替手段を備えた排水ますであって、排水の流路を切り替える際、流路切替手段が正しく配置されていることを確認することができる排水ますおよびそれを備えた排水システムを提供することができる。
【図面の簡単な説明】
【００２５】
【図１】実施形態に係る排水システムの平面図である。
【図２】実施形態に係る排水システムの正面図である。
【図３】排水ますの平面図である。
【図４】排水ますの正面図である。
【図５】図３のＶ−Ｖ断面における排水ますの正面断面図である。
【図６】ます本体の平面図である。
【図７】ます本体の正面断面図である。
【図８】ます本体の右側面図である。
【図９】蓋体を第２切替位置に配置した状態における排水ますの平面図である。
【図１０】蓋体を第２切替位置に配置した状態における排水ますの正面断面図である。
【図１１】蓋体の平面図である。
【図１２】蓋体の正面図である。
【図１３】蓋体の側面図である。
【図１４】蓋体の底面図である。
【図１５】突出部が段差部に正しく載置されている第１の状態を示す突出部および段差部の断面図である。
【図１６】突出部が段差部に正しく載置されていない第２の状態を示す突出部および段差部の断面図である。
【図１７】蓋体がます本体に対して揺動した状態を示す図である。
【発明を実施するための形態】
【００２６】
以下、図面を参照しながら、本発明に係る排水ます、および、排水システムの実施形態について説明する。ここで説明される実施形態は、当然ながら特に本発明を限定することを意図したものではない。また、同じ作用を奏する部材・部位には同じ符号を付し、重複する説明は省略または簡略化する。
【００２７】
まず、本実施形態に係る排水システム１について説明する。図１は、本実施形態に係る排水システム１の平面図である。図２は、排水システム１の正面図である。図１に示すように、排水システム１は、排水が流れるシステムである。ここで、「排水」には、汚水および雨水が含まれる。「汚水」とは、トイレ、風呂、および、台所の流し台などから排出される水であり、そのままでは河川に放流させることができないものである。本実施形態では、トイレ、風呂、および台所の流し台などのように、汚水が排出される設備を排水設備５とする。「雨水」とは、降雨などの自然現象に起因する水であり、そのまま河川に放流させることができるものである。ここでは、排水システム１は、排水のうち排水設備５から流出する汚水が流れるシステムである。しかし、排水システム１は、雨水が流れるシステムであってもよい。この場合、例えば、排水設備５は、雨水が集約される側溝などに置換され、下水本管１５は、雨水本管などに置換される。図２に示すように、排水システム１は、地中に埋設されている。排水システム１は、排水管路１０と、排水の流路を切り替えることが可能な排水ます２０と、貯留槽７０とを備えている。
【００２８】
排水管路１０は、特に図示はしていないが、下流に向かって下方に傾斜している。図１に示すように、排水管路１０は、流入管路１１と、第１流出管路１２と、第２流出管路１３とを備えている。流入管路１１には、排水設備５から排出された汚水が流入する。流入管路１１の上流端は、排水設備５に接続されている。流入管路１１の下流端は、排水ます２０に接続されている。第１流出管路１２には、排水ます２０から流出した汚水が流入する。第１流出管路１２の上流端は、排水ます２０に接続されている。第１流出管路１２の下流端は、汚水を汚水処理場（図示せず）などに導く下水本管１５に接続されている。なお、第１流出管路１２は、本発明の「流出管路」に対応する。ここでは、第１流出管路１２の下流側には、公共ます１６が設けられている。公共ます１６は、排水ます２０と下水本管１５との間に設けられている。
【００２９】
第２流出管路１３には、排水ます２０から流出した汚水が流入する。第２流出管路１３の上流端は、排水ます２０に接続されている。第２流出管路１３の下流端は、汚水を一時的に貯留する貯留槽７０に接続されている。なお、「管路」とは、水を流通させる通路を意味する。「管路」は、一本の配管によって構成されていてもよいし、複数本の配管とそれら配管を接続する継手によって構成されていてもよい。
【００３０】
次に、本実施形態に係る排水ます２０について説明する。排水ます２０は、排水（本実施形態では、汚水）の流路を切り替えることが可能なますである。排水ます２０は、排水管路１０の途中箇所に設けられている。ここでは、排水ます２０は、流入管路１１の下流端と第１流出管路１２の上流端との間に設けられている。図３は、排水ます２０の平面図である。図４は、排水ます２０の正面図である。図５は、図３のＶ−Ｖ断面における排水ます２０の正面断面図である。なお、以下の図面において、符号Ｆ、Ｒｒ、ＬおよびＲは、それぞれ排水ます２０の前、後、左および右を表している。ただし、各方向は説明の便宜上定めたものであり、本発明を特に限定するものではない。図５に示すように、排水ます２０は、ます本体２１と、蓋体２６とを備えている。
【００３１】
図６は、ます本体２１の平面図である。図７は、ます本体２１の正面断面図である。図８は、ます本体２１の右側面図である。図６から図８では、ます本体２１から蓋体２６を取り外した状態が示されている。図７に示すように、ます本体２１は、略筒状であり、内部に空間を有する形状である。本実施形態では、図４に示すように、ます本体２１は、縦筒状部２１ａと流入筒状部２１ｂと第１流出筒状部２１ｃと第２流出筒状部２１ｄとによって構成されている。縦筒状部２１ａは、上方に開口するように上下方向に延びている。流入筒状部２１ｂは、縦筒状部２１ａの側面から側方（図４では、左方）に延びるように設けられている。第１流出筒状部２１ｃは、流入筒状部２１ｂと向かい合うようにして、縦筒状部２１ａの側面から側方（図４では、右方）に延びるように設けられている。第２流出筒状部２１ｄは、縦筒状部２１ａの底面の中央部分から下方に延びるように設けられている。図７に示すように、ます本体２１には、点検口３１、流入口３２、第１流出口３３および第２流出口３４が形成されている。
【００３２】
点検口３１は、ます本体２１の上部において、上方に向かって開口している。本実施形態では、点検口３１は、ます本体２１の縦筒状部２１ａの上端に形成されている。点検口３１は、作業者がます本体２１の内部に破損または詰まりなどがないかのメンテナンスを行う部位である。点検口３１は、流入口３２、第１流出口３３および第２流出口３４よりも大きく開口している。言い換えると、点検口３１の内径は、流入口３２の内径、第１流出口３３の内径および第２流出口３４の内径よりも長い。そのため、作業者は、点検口３１を通じて、ます本体２１の内部のメンテナンスを容易に行うことができる。図２に示すように、点検口３１には、点検筒１７が接続されている。ここでは、点検筒１７の上端が地面と略同じ高さに配置されるように、排水ます２０は地中に埋設されている。なお、点検筒１７の上端には、蓋１８が配置されている。通常時、点検筒１７は、蓋１８によって閉じられている。
【００３３】
図７に示すように、流入口３２は、ます本体２１の側部に設けられている。流入口３２は、側方に向かって開口している。本実施形態では、流入口３２は、ます本体２１の流入筒状部２１ｂの端面に形成されている。流入口３２には、排水設備５から排出された汚水が流入する。図１に示すように、流入口３２には、流入管路１１の下流端が接続される。なお、流入口３２には、流入管路１１の一部をなす配管が直接接続されるが、流入口３２に上記配管が他の部材などを介して間接的に接続されていてもよい。ここでは、流入口３２は、配管が挿入される受口であるが、配管に挿入される差口であってもよい。
【００３４】
図８に示すように、第１流出口３３は、ます本体２１の側部に設けられている。図７に示すように、第１流出口３３は、側方に向かって開口している。ここでは、第１流出口３３は、流入口３２の反対側に配置されている。第１流出口３３は、流入口３２と対向している。ただし、第１流出口３３の配置位置は特に限定されない。本実施形態では、第１流出口３３は、ます本体２１の第１流出筒状部２１ｃの端面に形成されている。流入口３２からます本体２１内を流れる汚水が第１流出口３３を通じて流出する。図１に示すように、第１流出口３３には、第１流出管路１２の上流端が接続される。第１流出口３３には、第１流出管路１２の一部をなす配管が直接接続されていてもよく、上記配管が他の部材を介して間接的に接続されていてもよい。ここでは、第１流出口３３は受口であるが、差口であってもよい。
【００３５】
図７に示すように、第２流出口３４は、ます本体２１の底部に設けられている。第２流出口３４は、下方に向かって開口している。本実施形態では、第２流出口３４は、ます本体２１の第２流出筒状部２１ｄの端面に形成されている。図６に示すように、第２流出口３４は、ます本体２１の底部の中央部分に設けられている。第２流出口３４は、平面視において、点検口３１内の中央部分に設けられている。第２流出口３４は、平面視において、流入口３２と第１流出口３３との間に設けられている。図７に示すように、第２流出口３４は、流入口３２および第１流出口３３よりも下方の位置に設けられている。ここでは、第２流出口３４の内径は、流入口３２の内径および第１流出口３３の内径と同じである。しかし、第２流出口３４の内径は、流入口３２の内径および第１流出口３３の内径より大きくてもよいし、小さくてもよい。第２流出口３４の形状は、真円形状である。しかし、第２流出口３４の形状は特に限定されず、惰円形状であってもよい。この場合、第２流出口３４の長軸の方向は、流入口３２の中心軸Ｌ３２の方向と平行であるとよい。このことによって、第２流出口３４が開放されているとき、流入口３２からます本体２１に流入した汚水が第２流入口３４を乗り越えて第１流出口３３へ流れにくくなる。ます本体２１内を流れる汚水が第２流出口３４から流出する。図２に示すように、第２流出口３４には、第２流出管路１３の上流端が接続される。第２流出口３４には、第２流出管路１３を介して貯留槽７０が接続されている。ただし、第２流出口３４には、貯留槽７０が直接接続されていてもよい。この場合、第２流出管路１３は省略することができる。また、この場合、排水ます２０は、貯留槽７０の上に載置される。ここでは、第２流出口３４は受口であるが、差口であってもよい。なお、排水ます２０は、貯留槽７０の内部に配置されていてもよい。この場合、貯留槽７０の上部の開口部分に、排水ます２０の点検口３１が配置されていてもよい。このことによって、排水ます２０および貯留槽７０の配置スペースが小さくなるため、コンパクトに配置することができる。
【００３６】
図７に示すように、ます本体２１において、縦筒状部２１ａと第２流出筒状部２１ｄとの接続部分のうち流入口３２側の接続部分には、傾斜部２２が設けられている。傾斜部２２は、第２流出口３４に向かうに連れて傾斜が急になっている。傾斜部２２は、ます本体２１の内部に向かって凸となるように湾曲している。なお、ます本体２１において、縦筒状部２１ａと第２流出筒状部２１ｄとの接続部分のうち第１流出口３３側の接続部分（第２流出筒状部２１ｄの上縁部）２３には、傾斜部２２のような傾斜は設けられていない。ここでは、接続部分２３は、直角になっている。
【００３７】
ここでは、図６に示すように、平面視において、ます本体２１の内面であって、第２流出口３４の前方および後方には、互いに対向するように傾斜面４０が設けられている。図８に示すように、傾斜面４０は、側面視において、第２流出口３４に向かうにしたがって下方に傾斜している。このことによって、傾斜面４０に汚水が乗り上げた場合、乗り上げた汚水および汚水に混在する異物などを、傾斜面４０に沿って、ます本体２１の底に流すことができる。よって、傾斜面４０に汚水および異物が溜まることを防ぐことができる。
【００３８】
図６に示すように、排水ます２０は、段差部４１と、支持溝４２と、確認部４３を備えている。段差部４１は、蓋体２６を後述する第１切替位置Ａ（図３参照）に配置したとき、蓋体２６を支持する部位である。段差部４１が蓋体２６を支持することの詳しい説明は、後述する。段差部４１は、平面視において、ます本体２１の内面であって、第２流出口３４を挟んで互いに対向するように２つ設けられている。２つの段差部４１は、第２流出口３４の前方および後方に互いに対向するように設けられている。２つの段差部４１は、互いに同じ高さの位置に設けられているが、２つの段差部４１の位置関係は特に限定されない。段差部４１は、平面視において、流入口３２の中心軸Ｌ３２（なお、本実施形態では、中心軸Ｌ３２は、第１流出口３３の中心軸Ｌ３３と一致する）を挟んで対向するようにます本体２１の側部に２つ設けられている。段差部４１は、平面視において、流入口３２の軸方向（または、第１流出口３３の軸方向）において、点検口３１内の中央部分に設けられている。ここでは、段差部４１は、平面視において、傾斜面４０よりも第２流出口３４側に設けられている。図７に示すように、段差部４１は、点検口３１の中心軸Ｌ３１に向かうにしたがって下方に傾斜する面４１ａを有している。傾斜面４１ａは、第２流出口に向かうにしたがって下方に傾斜している。図６に示すように、段差部４１は、円弧状の形状を有している。なお、本実施形態では、段差部４１が本発明の「支持面」に対応する。
【００３９】
支持溝４２は、蓋体２６を後述する第２切替位置Ｂ（図９参照）に配置したとき、蓋体２６を支持する部位である。支持溝４２が蓋体２６を支持することの詳しい説明は、後述する。支持溝４２は、平面視において、第２流出口３４を挟んで互いに対向するように、ます本体２１の縦筒状部２１ａの内面に２つ設けられている。支持溝４２は、第２流出口３４の前方および後方に設けられている。平面視において、２つの支持溝４２は、第１流出口３３の中心軸Ｌ３３を挟んで互いに対向するように設けられている。ここでは、支持溝４２は、段差部４１内に設けられている。支持溝４２は、平面視において、傾斜面４０よりも第２流出口３４側に設けられている。図７に示すように、支持溝４２は、正面視において、段差部４１よりも下方（詳しくは、真下）に設けられている。図６に示すように、支持溝４２は、平面視において、流入口３２の軸方向（または、第１流出口３３の軸方向）において、ます本体２１の中央部分に設けられている。図７に示すように、支持溝４２は、下方に凹んだ円弧状の溝である。ただし、支持溝４２の形状は特に限定されない。支持溝４２の表面には、複数の突起４５が設けられている。ここでは、各支持溝４２につき、５つの突起４５が設けられているが、突起４５の数は特に限定されない。複数の突起４５は、互いが等間隔になるように支持溝４２の表面に配置されているが、その間隔は特に限定されない。例えば、複数の突起４５の互いの間隔は、平面視において、支持溝４２の中央に近づくにしたがって狭くなってもよい。
【００４０】
図３に示すように、確認部４３は、蓋体２６が第１切替位置Ａに配置されたとき、蓋体２６が段差部４１に正しく配置されているか否かを確認するための部材である。図６に示すように、確認部４３は、平面視において、ます本体２１の内面であって、第２流出口３４の前方および後方に設けられている。確認部４３は、平面視において、第２流出口３４を挟んで互いに対向するように、ます本体２１の内面に２つ設けられている。ここでは、２つ確認部４３は、平面視において、第１流出口３３の中心軸Ｌ３３を挟んで互いに対向している。確認部４３は、傾斜面４０の中央部分に配置されている。図７に示すように、確認部４３は、段差部４１よりも上方に配置されている。ここでは、段差部４１の真上に、確認部４３が配置されている。図示は省略するが、２つの確認部４３は、互いに同じ高さの位置に設けられている。ただし、２つの確認部４３の位置関係は特に限定されない。確認部４３の一部は、平面視において、傾斜面４０から段差部４１に向かって突出している。確認部４３は、平面視において、ます本体２１の内面から内方、すなわち、点検口３１の中心点Ｌ３１に向かって延びている。確認部４３は、板状である。確認部４３は、可撓性を有する部材によって形成されている。例えば、確認部４３は、弾性部材によって形成されているとよく、ここでは、エラストマーによって形成されている。ただし、確認部４３の全体が可撓性を有する部材で形成されていなくてもよく、例えば、確認部４３の先端部分４３ａ（図１６参照）のみが可撓性を有する部材で形成されていてもよい。ここでは、確認部４３の先端部分４３ａ（図１６参照）が上下方向に撓む。確認部４３は、ます本体２１の他の部位および蓋体２６（例えば、蓋体２６の突出部５２）とは異なる色彩であるとよい。例えば、確認部４３は、黄色で彩られていてもよい。
【００４１】
次に、蓋体２６について説明する。図３に示すように、蓋体２６は、ます本体２１内に着脱可能に設けられており、ます本体２１に対して着脱することでます本体２１を流れる汚水の流路を切り替える部材である。図９は、蓋体２６を第２切替位置Ｂに配置した状態を示しており、排水ます２０の平面図である。図１０は、蓋体２６を第２切替位置Ｂに配置した状態を示しており、排水ます２０の正面断面図である。なお、図３から図５は、蓋体２６を第１切替位置Ａに配置した状態を示している。蓋体２６は、ます本体２１内において、第１切替位置Ａ（図３参照）と第２切替位置Ｂ（図９参照）との間で位置変更が可能なものである。図５に示すように、第１切替位置Ａは、ます本体２１内に設けられた状態で、流入口３２から流入した汚水が第１流出口３３に流れるように流入口３２と第１流出口３３とを連通させる位置である。図１０に示すように、第２切替位置Ｂは、ます本体２１内に設けられた状態で、流入口３２から流入した汚水が第２流出口３４に流れるように流入口３２と第２流出口３４とを連通させる位置である。ここでは、蓋体２６は、ます本体２１の第２流出口３４を開閉自在に設けられている。図５に示すように、蓋体２６は、第１切替位置Ａに配置されたときに第２流出口３４を閉鎖する。このとき、図３に示すように、蓋体２６は、平面視において、点検口３１内の中央部分に配置されている。一方、図１０に示すように、蓋体２６は、第２切替位置Ｂに配置されたときに第２流出口３４を開放する。このとき、図９に示すように、蓋体２６は、平面視において、点検口３１内の中央部分に配置されている。すなわち、ます本体２１内を流れる汚水の流路が切り替わる前後において、蓋体２６は、平面視において、点検口３１内の中央部分に配置されている。本実施形態では、蓋体２６は、本発明の「流路切替手段」に対応する。
【００４２】
図１１は、蓋体２６の平面図である。図１２は、蓋体２６の正面図である。図１３は、蓋体２６の側面図である。図１４は、蓋体２６の底面図である。なお、図１１から図１４において、符号Ｆ、Ｒｒ、Ｌ、Ｒは、第１切替位置Ａにおける蓋体２６の方向を示している。図１２に示すように、蓋体２６は、インバート部５１と、突出部５２と、把持部５３と、嵌合凸部５４と、越流防止板５５を備えている。
【００４３】
図５に示すように、蓋体２６を第１切替位置Ａに配置したとき、インバート部５１は、流入口３２からます本体２１に流入した汚水を第１流出口３３へ流す流路となる部位である。蓋体２６が第１切替位置Ａに配置されたとき、インバート部５１は、流入口３２と第１流出口３３とを繋ぐ。図１３に示すように、インバート部５１は、流入口３２の底面および第１流出口３３の底面と滑らかに連続するように、略Ｕの字状に形成されている。インバート部５１は、流入口３２と第１流出口３３との間の溝である。ここでは、図１１に示すように、インバート部５１は、真っ直ぐな溝である。しかし、インバート部５１は、一部が湾曲した溝であってもよい。蓋体２６を第２切替位置Ｂに配置したとき、インバート部５１の端部５１ａは、ます本体２１の支持溝４２に配置される。そのため、インバート部５１の端部５１ａの外周面は、支持溝４２に対応する形状であるとよい。ここでは、インバート部５１の外周形状は、円弧形状である。
【００４４】
図３に示すように、突出部５２は、蓋体２６が第１切替位置Ａに配置されたとき、段差部４１によって支持される部位である。図１１に示すように、突出部５２は、インバート部５１の側部から外方に突出している。詳しくは、図１３に示すように、突出部５２は、インバート部５１の前部および後部の上端から外方に突出するように、インバート部５１に設けられている。突出部５２は、インバート部５１を挟んで対向するように２つ設けられている。図３に示すように、突出部５２は、ます本体２１の段差部４１に合致する形状を有している。ただし、突出部５２は、段差部４１に合致する形状でなくてもよく、この場合、段差部４１よりも小さいことが好ましい。ここでは、突出部５２は、板状であり、円弧状の形状を有している。
【００４５】
図１１に示すように、把持部５３は、作業者が蓋体２６の位置を切り替える際に使用する部位であり、把持可能なものである。把持部５３は、インバート部５１を跨ぐように配置されている。把持部５３は、インバート部５１の流路方向Ｌ５１（図１４参照）において、インバート部５１の中央部分に設けられている。把持部５３の形状は特に限定されない。ここでは、図１３に示すように、把持部５３は、インバート部５１の２つの上端を架け渡すような形状を有している。把持部５３は、インバート部５１と一体であってもよいし、別体であってもよい。ここでは、図１１に示すように、インバート部５１の両端部５１ａには、補強部材５３ａが設けられている。補強部材５３ａは、インバート部５１の右上端部同士、および、インバート部５１の左上端部同士を架け渡すように設けられている。この補強部材５３ａによって、インバート部５１を変形しにくくすることができる。なお、補強部材５３ａは、把持可能であるため、把持部５３と同様に、作業者が蓋体２６の位置を切り替える際に使用する部位として使用されてもよい。
【００４６】
図５に示すように、嵌合凸部５４は、蓋体２６を第１切替位置Ａに配置したとき、第２流出口３４を閉塞する部位である。ここでは、嵌合凸部５４は、ます本体２１の第２流出筒状部２１ｄに嵌合可能な部位である。図１４に示すように、嵌合凸部５４は略円筒状である。本実施形態では、図１３に示すように、嵌合凸部５４の外周面には、ゴム製のシール部材５４ａが設けられている。このシール部材５４ａによって、第２流出筒状部２１ｄと嵌合凸部５４との間のシールが図られている。
【００４７】
図１０に示すように、越流防止板５５は、蓋体２６を第２切替位置Ｂに配置したとき、流入口３２からます本体２１内に流入した汚水が、第２流出口３４を超えて、第１流出口３３に流れることを防止する部位である。図１２に示すように、越流防止板５５は、インバート部５１の底面の中央部分から下方に向かって延びている。図１４に示すように、越流防止板５５は、嵌合凸部５４に囲まれるようにして配置されている。図１２に示すように、越流防止板５５は、下部に向かう程、幅が短くなっている平板状の部材で形成されている。
【００４８】
次に、蓋体２６を第１切替位置Ａおよび第２切替位置Ｂに配置したときの、蓋体２６とます本体２１との位置関係について詳しく説明する。図３に示すように、蓋体２６を第１切替位置Ａに配置したとき、蓋体２６の突出部５２は、ます本体２１の段差部４１に配置される。突出部５２は、確認部４３の下方に配置される。突出部５２は、確認部４３と段差部４１との間に配置される。また、このとき、ます本体２１の側面に向かって延びるように突出部５２は配置されている。蓋体２６は、段差部４１によって支持されている。このとき、蓋体２６は、平面視において、点検口３１内の中央部分に配置されている。蓋体２６は、平面視において、点検口３１の中心点Ｌ３１と重なる位置に配置されている。ここでは、蓋体２６の中心軸Ｌ２６と点検口３１の中心軸Ｌ３１とは一致している。このとき、蓋体２６のインバート部５１は、流入口３２と第１流出口３３とを連通させており、汚水の流路となっている。インバート部５１の両端５１ａは、流入口３２の中心軸Ｌ３２（言い換えると、第１流出口３３の中心軸Ｌ３３）上に配置されている。図５に示すように、蓋体２６の嵌合凸部５４は、ます本体２１の第２流出筒状部２１ｄに嵌っている。そのため、蓋体２６が第１切替位置Ａに配置されたとき、蓋体２６は、ます本体２１に固定されており、揺動不能となっている。なお、このとき、越流防止板５５は、その面が前後方向に向くようにして配置されている。また、このとき、図４に示すように、越流防止板５５の下部は、第２流出口３４から下方へ突出している。
【００４９】
本実施形態では、上述したように、蓋体２６が第１切替位置Ａに配置されたとき、蓋体２６の突出部５２がます本体２１の段差部４１に正しく載置されているかを確認部４３によって確認することができる。図１５は、突出部５２が段差部４１に正しく載置されている第１の状態Ａ１を示す突出部５２および段差部４１の断面図である。図１６は、突出部５２が段差部４１に正しく載置されていない第２の状態Ａ２を示す突出部５２および段差部４１の断面図である。
【００５０】
本実施形態では、作業者は、確認部４３の状態が第１の状態Ａ１（図１５参照）および第２の状態Ａ２（図１６参照）の何れの状態かを確認することができる。図１５に示すように、第１の状態Ａ１は、蓋体２６を第１切替位置Ａに配置するとき、蓋体２６の突出部５２が段差部４１に正しく支持された状態である。ここでは、蓋体２６のインバート部５１が確認部４３よりも下方に配置されている状態が第１の状態Ａ１である。また、第１の状態Ａ１は、段差部４１上に載置される蓋体２６の突出部５２が確認部４３よりも下方に配置された状態である。第１の状態Ａ１は、突出部５２が確認部４３と段差部４１との間に配置された状態である。ここでは、突出部５２は、蓋体２６が第１切替位置Ａに配置されたときに、突出部５２の先端部が確認部４３から下方に離間している。このとき、突出部５２の先端部は、確認部４３の内端よりも外方に位置している。蓋体２６の突出部５２が段差部４１に正しく配置されているとき、確認部４３の先端部分４３ａは、突出部５２の上方に位置している。このとき、確認部４３は、撓んでいない状態である。ここでは、蓋体２６は上方から下方に向けて移動することによって、蓋体２６を第１切替位置Ａに配置する。このとき、蓋体２６の位置を第２切替位置Ｂから第１切替位置Ａに変更する途中において、突出部５２と確認部４３とが接触することで、確認部４３は下方に撓む。そして、蓋体２６が第１切替位置Ａに正しく配置されると、確認部４３は、突出部５２の上方の位置に復元するように構成されている。図３に示すように、第１の状態Ａ１は、平面視において、突出部５２の一部が確認部４３によって隠れている状態である。ただし、第１の状態Ａ１は、平面視において、突出部５２の全体が確認部４３によって隠れている状態であってもよい。作業者は、点検口３１を通じて、確認部４３の先端部分４３ａを目視することで、蓋体２６が段差部４１に正しく配置されているかを確認することができる。
【００５１】
なお、本実施形態では、確認部４３は、平面視において、第２流出口３４を挟んで対向するように、ます本体２１の内面に２つ設けられている。ここでは、蓋体２６を第１切替位置Ａに配置しようとするとき、２つの確認部４３のうち両方の確認部４３において、蓋体２６の突出部５２が下方に配置されている状態であるとき、その状態は蓋体２６が段差部４１に正しく配置されている状態（第１の状態Ａ１）であるとする。
【００５２】
図１６に示すように、第２の状態Ａ２は、蓋体２６の位置を第２切替位置Ｂから第１切替位置Ａに配置しようとするとき、蓋体２６の突出部５２が段差部４１に正しく支持されていない状態である。ここでは、段差部４１上に配置される蓋体２６の突出部５２の少なくとも一部が、確認部４３よりも上方に配置されている状態が第２の状態Ａ２である。詳しくは、第２の状態Ａ２は、突出部５２の上端が確認部４３の先端部分４３ａよりも上方に配置された状態である。突出部５２が段差部４１に正しく配置されておらず、突出部５２が段差部４１に対して多少ずれて配置されている場合、確認部４３は、突出部５２に接触しながら下方に撓んでいる。このとき、確認部４３の先端部分４３ａは、上下方向において、突出部５２の上端と段差部４１との間に位置する。また、このとき、平面視において、確認部４３の一部（ここでは、確認部４３の先端部分４３ａ）が突出部５２によって下方に撓むことで、隠れている。よって、このとき、作業者は、点検口３１を通じて、確認部４３の先端部分４３ａを目視することができない。なお、本実施形態では、蓋体２６を第１切替位置Ａに配置しようとするとき、２つの確認部４３のうち一方または両方の確認部４３において、蓋体２６の突出部５２が上方に配置されている状態であるとき、その状態は蓋体２６が段差部４１に正しく配置されていない状態（第２の状態Ａ２）であるとする。
【００５３】
なお、本実施形態では、図１５に示すように、蓋体２６を第１切替位置Ａに配置したとき、段差部４１よりも第２流出口３４（図６参照）側であって、蓋体２６とます本体２１との間には、空間Ｓが形成されている。空間Ｓは、蓋体２６が第１切替位置Ａに配置されたとき、蓋体２６の突出部５２の下方に形成されている。空間Ｓは、インバート部５１、突出部５２およびます本体２１によって囲まれた空間である。第１の状態Ａ１であっても第２の状態Ａ２であっても、空間Ｓは、蓋体２６とます本体２１との間に形成されている。
【００５４】
以上のように、本実施形態では、蓋体２６の位置を第２切替位置Ｂから第１切替位置Ａに変更するとき、平面視において、確認部４３の先端部分４３ａが目視できるか否かによって、蓋体２６が段差部４１に正しく配置されているか否かを判別することができる。
【００５５】
図９に示すように、蓋体２６を第２切替位置Ｂに配置したとき、蓋体２６のインバート部５１の端部５１ａが、ます本体２１の支持溝４２に載置されている。このとき、蓋体２６は、支持溝４２によって支持されている。図１０に示すように、蓋体２６が第２切替位置Ｂに配置されたとき、蓋体２６は、第１切替位置Ａ（図５参照）のときよりも高い位置に配置されている。このとき、第１切替位置Ａに配置されたときと同様に、蓋体２６は、図９に示すように、平面視において、点検口３１内の中央部分に配置されており、かつ、点検口３１の中心点Ｌ３１と重なる位置に配置されている。ここでは、蓋体２６の中心軸Ｌ２６と点検口３１の中心軸Ｌ３１とは一致している。このとき、インバート部５１の両端は、平面視において、流入口３２の中心軸Ｌ３２（言い換えると、第１流出口３３の中心軸Ｌ３３）と直交し、かつ、点検口３１の中心点Ｌ３１を通る直線Ｌ１上に配置されている。
【００５６】
このとき、図１０に示すように、越流防止板５５は、その面が左右方向に向くようにして配置されている。蓋体２６の嵌合凸部５４は、ます本体２１の第２流出筒状部２１ｄよりも上方に位置しており、第２流出筒状部２１ｄには嵌っていない。ここでは、インバート部５１の端部５１ａが支持溝４２に載置されている状態のみで、蓋体２６がます本体２１に支持されている。蓋体２６は、ます本体２１に対して揺動可能である。蓋体２６は、支持溝４２に沿って、その位置および角度を変更することが可能である。図１７は、蓋体２６がます本体２１に対して揺動した状態を示す図である。蓋体２６が第２切替位置Ｂに配置された状態において、流入口３２からます本体２１内に汚水が流れてきた場合、その汚水は、第２流出口３４の上方において、蓋体２６の越流防止板５５にぶつかる。このとき、支持溝４２を軸にして、蓋体２６が第１流出口３３側へ回転する。そして、越流防止板５５の下部が、縦筒状部２１ａと第２流出筒状部２１ｄとの接続部分のうち第１流出筒状部２１ｃ側の接続部分２３に接触する。第１流入口３３は、越流防止板５５によって閉鎖される。このことによって、蓋体２６を第２切替位置Ｂに配置したとき、流入口３２からます本体２１内に流入した汚水が、第２流出口３４を超えて、第１流出口３３に流れることを防止することができる。
【００５７】
貯留槽７０は、図２に示すように、貯留槽７０は、排水設備５から排出された汚水を貯留する槽である。貯留槽７０は、タンクによって構成されており、内部に密封された空間を有している。貯留槽７０の側面上部には、排水口７１が形成されている。排水口７１には、第２流出管路１３の下流端が接続されており、第２流出管路１３を介して排水ます２０の第２流出口３４が接続されている。
【００５８】
貯留槽７０の上面には、鉛直方向に円筒７８が突設されている。円筒７８は、上端が地面と略同一の高さとなるようにして、貯留槽７０の上面に設けられている。作業者は、円筒７８を通じて、貯留槽７０の内部を保守および点検することができる。なお、通常時において、円筒７８の上部は蓋７９によって閉塞されている。
【００５９】
次に、本実施形態に係る排水システム１および排水ます２０の利用方法について説明する。図１に示すように、排水システム１は、通常時には排水設備５から流出した汚水を下水本管１５に排出し、地震または津波などの災害が発生して、下水本管１５が破損したときには、排水ます２０内を流れる汚水の流路を切り替えて、排水設備５から流出する汚水を貯留槽７０へ排出するように用いられる。以下の説明では、通常時の利用態様を通常時モードといい、災害時の利用態様を災害時モードということとする。
【００６０】
通常時モードでは、図３に示すように、流入口３２と第１流出口３３とを連通させる第１切替位置Ａに、蓋体２６をます本体２１内に配置する。詳しくは、蓋体２６の嵌合凸部５４をます本体２１の第２流出筒状部２１ｄに嵌めると共に、蓋体２６の突出部５２をます本体２１の段差部４１に載置する。このとき、図１５に示すように、作業者は、点検口３１を通じて、確認部４３の先端部分４３ａが目視できるかを確認することによって、蓋体２６が段差部４１に正しく配置されているかを確認する。作業者が、確認部４３の先端部分４３ａを目視することができたとき、蓋体２６は、段差部４１に正しく配置されていると判断する。
【００６１】
通常時モードでは、図１に示すように、排水設備５から流出した汚水は、流入管路１１を流れた後、排水ます２０の流入口３２からます本体２１内に流入する。図３に示すように、ます本体２１内に流入した汚水は、蓋体２６のインバート部５１を通り、第１流出口３３からます本体２１の外へ流出する。このとき、図５に示すように、第２流出口３４は、蓋体２６によって閉塞されている。よって、ます本体２１内の汚水は、第２流出口３４には流れない。図２に示すように、第１流出口３３から流出した汚水は、第１流出管路１２を流れ、下水本管１５に排出される。下水本管１５に排出された汚水は、汚水処理場などに導かれ、浄化処理される。
【００６２】
災害時モードでは、第１切替位置Ａから、流入口３２と第２流出口３４とが連通する第２切替位置Ｂへ蓋体２６の位置を変更する。例えば、以下のようにして蓋体２６の位置を変更することができる。まず、作業者は、点検筒１７に被せられた蓋１８を取り外す。次に、図５に示すように、作業者は、蓋体２６の把持部５３を持って、蓋体２６を引き上げる。そして、図９に示すように、作業者は、蓋体２６のインバート部５１の端部５１ａがます本体２１の支持溝４２の上方に位置するように、蓋体２６を９０度回転させる。このときの回転の向きは右回りでもよいし、左回りでもよい。作業者は、インバート部５１の端部５１ａを支持溝４２に載置することによって、蓋体２６を第２切替位置Ｂに配置する。
【００６３】
災害時モードでは、図１に示すように、排水設備５から流出した汚水は、第１流出管路１１を流れた後、流入口３２からます本体２１内に流入する。図１７に示すように、ます本体２１内に流入した汚水が蓋体２６の越流防止板５５にぶつかることで、支持溝４２を軸にして、蓋体２６が第１流出口３３側へ回転する。そして、越流防止板５５の下部が、縦筒状部２１ａと第２流出筒状部２１ｄとの接続部分２３に接触する。このことによって、第１流出口３３は越流防止板５５によって閉塞される。よって、ます本体２１内の汚水は、ます本体２１の傾斜部２２に沿って、第２流出口３４に向かって流れ、第１流出口３３には流れない。その後、図２に示すように、汚水は、第２流出口３４からます本体２１の外へ流出する。第２流出口３４から流出した汚水は、第２流出管路１３を通じて貯留槽７０へ排出され、貯留槽７０に貯留される。貯留槽７０に貯留された汚水は、例えば、吸引ポンプによって吸い上げられる。この場合、作業者は、貯留槽７０の上面に設けられた円筒７８の上部を閉塞する蓋７９を取り外す。そして、円筒７８を介して、貯留槽７０に上記吸引ポンプを挿入する。そして、上記吸引ポンプによって、貯留槽７０に貯留された汚水を外部へ吸い上げる。
【００６４】
以上のように、本実施形態では、第２流出管路１２または下水本管１５が破損した場合であっても、排水ます２０によって汚水の流路を切り替えることで、排水設備５から流入管路１１に流入する汚水を、排水ます２０を通じて、第２流出管路１３から貯留槽７０に排出することができる。
【００６５】
図１６に示すように、蓋体２６を第１切替位置Ａに配置する途中において、蓋体２６の突出部５２と確認部４３とが接触することで、確認部４３は下向きに撓む。そして、図１５に示すように、蓋体２６が第１切替位置Ａに正しく配置されたとき、蓋体２６の突出部５２は、確認部４３の下方に位置し、かつ、ます本体２１の内面に向かって延びている。このとき、確認部４３は、突出部５２の上方の位置に復元する。よって、作業者は、蓋体２６を第１切替位置Ａに配置しようとしたとき、点検口３１（図３参照）を通じて、確認部４３が突出部５２の上方の位置に復元していることを確認することで、蓋体２６が正しく配置されていることを確認することができる。一方、図１６に示すように、作業者は、蓋体２６を第１切替位置Ａに配置しようとしたとき、点検口３１を通じて、突出部５２と確認部４３とが接触して確認部４３が下向きに撓んでいることを確認することで、蓋体２６が正しく配置されていないことを確認することができる。
【００６６】
蓋体２６を第１切替位置Ａに配置しようとするとき、蓋体２６が正しく配置されていない場合、蓋体２６の嵌合凸部５４とます本体２１の第２流出筒状部２１ｄとの間に隙間が生じるおそれがある。そして、その隙間から汚水が漏れ、第２流出口３４に汚水を流したくないにも関わらず、第２流出口３４から汚水が流れるおそれがある。しかし、本実施形態では、蓋体２６を第１切替位置Ａに配置しようとするとき、確認部４３によって蓋体２６が正しく配置されているか確認することで、蓋体２６が正しく配置されていないことによって生じる、汚水の第２流出口３４への漏れを事前に防ぐことができる。
【００６７】
本実施形態では、突出部５２は、蓋体２６が第１切替位置Ａに配置されたとき、突出部５２の先端部が確認部４３から下方に離間し、かつ、確認部４３の内端よりも外方に位置するように構成されている。このことによって、蓋体２６を第１切替位置Ａに配置しようとしたとき、作業者は、点検口３１を通じて、突出部５２の少なくとも一部が確認部４３によって隠れており、かつ、確認部４３の上面全体が目視できるかを確認することで、蓋体２６が段差部４１に正しく配置されていることを確認することができる。
【００６８】
図５および図１０に示すように、蓋体２６を第２流出口３４に着脱することによって、蓋体２６で第２流出口３４を閉鎖したり開放したりすることができる。よって、蓋体２６で第２流出口３４を閉鎖したり開放したりするという簡単な構成で、ます本体２１内を流れる汚水の流路を切り替えることができる。本実施形態では、作業者は、点検口３１を通じて蓋体２６を操作することによって、第２流出口３４を開閉することができる。よって、作業者が汚水の流路を容易に切り替えることができる。
【００６９】
図３に示すように、蓋体２６は、第１切替位置Ａに配置されたときに流入口３２と第１流出口３３とを繋ぐインバート部５１と、インバート部５１の側部から外方に突出した突出部５２とを備えている。このことによって、蓋体２６を第１切替位置Ａに配置したとき、インバート部５１によって流入口３２と第１流出口３３とを繋げることができる。よって、このとき、流入口３２からます本体２１内に流入した汚水をインバート部５１を通じて第１流出口３３へ流すことができる。図１５に示すように、蓋体２６は、インバート部５１の側部から外方に突出した突出部５２によって段差部４１に支持されている。よって、汚水がインバート部５１を流れる際に汚水の流れを遮ることなく、蓋体２６を第１切替位置Ａに配置することができる。
【００７０】
図６に示すように、確認部４３は、平面視において、第２流出口３４を挟んで対向するようにます本体２１の内面に２つ設けられている。段差部４１は、確認部４３の下方に２つ設けられている。図１１に示すように、蓋体２６の突出部５２は、平面視において、インバート部５１を挟んで対向するように２つ設けられている。このことによって、蓋体２６を第１切替位置Ａに配置するとき、蓋体２６が２つの段差部４１によって支持されている。よって、蓋体２６を安定して支持することができる。蓋体２６を第１切替位置Ａに配置しようとするとき、２つの確認部４３によって、蓋体２６の突出部５２が段差部４１に正しく配置されているかを確認することができる。したがって、蓋体２６が第１切替位置Ａに正しく配置されているかをより正確に確認することができる。
【００７１】
２つの確認部４３は、互いに同じ高さの位置に設けられ、２つの段差部４１は、互いに同じ高さの位置に設けられている。蓋体２６を第１切替位置Ａに配置するとき、蓋体２６の突出部５２の何れか一方が確認部４３と接触してその確認部４３が撓んでいる場合、蓋体２６は、ます本体２１に対して斜めに配置されていることになる。よって、作業者は、蓋体２６が斜めに配置されていることを確認することができる。したがって、点検口３１の中心軸Ｌ３１と蓋体２６の中心軸Ｌ２６とが平行となるように、蓋体２６を第２流出口３４に正しく配置し易い。よって、蓋体２６を第１切替位置Ａに配置したとき、第２流出口３４から汚水が漏れにくくすることができる。
【００７２】
本実施形態では、確認部４３は、蓋体２６の突出部５２とは異なる色彩によって彩られている。ここでは、確認部４３は、ます本体２１の他の部位および蓋体２６とは異なる色彩によって彩られている。このことによって、蓋体２６が撓んでいるか否かが分かり易い。例えば、蓋体２６を第１切替位置Ａに配置しようとするとき、平面視において、蓋体２６の突出部５２の一部が確認部４３によって隠れている状態（第１の状態Ａ１）か、確認部４３の一部が突出部５２によって隠れている状態（第２の状態Ａ２）かが分かり易い。よって、作業者は、点検口３１を通じて、蓋体２６が段差部４１に正しく配置されているか否かを容易に確認することができる。
【００７３】
図１１に示すように、蓋体２６は、インバート部５１を跨ぐように配置され、作業者が把持可能な把持部５３を備えている。このことによって、作業者が把持部５３を利用して蓋体２６を持ち上げ易い。よって、蓋体２６によって、ます本体２１内を流れる汚水の流路を容易に切り替えることができる。
【００７４】
汚水に混在した異物などが段差部４１上に載置されている場合、蓋体２６を第１切替位置Ａに配置しようとすると、その異物が原因で蓋体２６の突出部５２が段差部４１に正しく配置できない場合がある。しかし、本実施形態では、図７に示すように、段差部４１は、第２流出口３４に向かうにしたがって下方に傾斜する傾斜面４１ａを有している。よって、段差部４１に載置された異物を第２流出口３４の方向へ流し易い。したがって、蓋体２６を第１切替位置Ａに配置する場合、蓋体２６の突出部５２を段差部４１に正しく配置し易い。
【００７５】
図１５に示すように、蓋体２６を第１切替位置Ａに配置したとき、段差部４１よりも第２流出口３４（図６参照）側であって、蓋体２６とます本体２１との間には、空間Ｓが形成されている。このことによって、例えば、蓋体２６を第１切替位置Ａに配置した状態で、蓋体２６の突出部５２と段差部４１との間に汚水が流れた場合、蓋体２６とます本体２１との間に形成された空間Ｓに、その汚水を一時的に溜めることができる。よって、蓋体２６を第１切替位置Ａに配置したとき、突出部５２と段差部４１との間に流れた汚水が第２流出口３４に流れることを防止することができる。なお、空間Ｓに一時的に溜まった汚水は、蓋体２６を第２切替位置Ｂに切り替えて第２流出口３４が開放されたとき、第２流出口３４へ流れる。
【００７６】
以上、本実施形態に係る排水システム１について説明した。しかし、本発明に係る排水システムは、本実施形態に係る排水システム１に限らず、他の種々の形態で実施することができる。
【００７７】
＜他の実施形態＞
上記実施形態では、第２流出口３４は、下方に開口するようにます本体２１の底部に設けられていた。しかし、第２流出口３４は、側方に開口するようにます本体２１の側部に設けられていてもよい。このとき、第２流出口３４は、第１流出口３３よりも下方に配置されているとよい。
【００７８】
上記実施形態では、確認部４３は、ます本体２１の内面に２つ設けられていた。しかし、確認部４３の数は特に限定されない。例えば、確認部４３は、ます本体２１の内面に１つ設けられていてもよい。このことによって、排水ます２０の部品点数を削減することができる。確認部４３は、ます本体２１の内面に３つ以上設けられていてもよい。このことによって、作業者は、蓋体２６を第１切替位置Ａに配置しようとするとき、蓋体２６が段差部４１に正しく配置されているか否かを、確認部４３によって確実に確認することができる。
【００７９】
＜変形例＞
上記実施形態では、作業者は、蓋体２６を第１切替位置Ａに配置しようとするとき、蓋体２６が段差部４１に正しく配置されているか否かを、点検口３１を通じて、確認部４３の先端部分４３ａが目視できるか否かによって判断していた。しかし、確認部の構成は、上記実施形態の確認部４３の構成に限定されない。例えば、確認部は、蓋体２６が配置される段差部４１上に設けられたスイッチを備えていてもよい。また、確認部は、蓋体２６が段差部４１に配置されるとき、蓋体２６が上記スイッチを押すことによって、作業者に、段差部４１に蓋体２６が正しく配置されたことを通知する通知手段を備えていてもよい。この通知手段の構成は特に限定されず、例えば、上記ボタンが押されると、音が鳴る音響発生装置であってもよい。このことによって、作業者は、耳で上記音響発生装置の音を聞くことによって、蓋体２６が段差部４１に正しく配置されたか否かを判断することができる。このように、本発明では、蓋体２６を第１切替位置Ａに配置しようとするとき、作業者は、聴覚で、蓋体２６が段差部４１に正しく配置されたか否かを判断するような構成であってもよい。
【符号の説明】
【００８０】
１  排水システム
１１  流入管路
１２  第１流出管路
１３  第２流出管路
２０  排水ます
２１  ます本体
２６  蓋体（流路切替手段）
３１  点検口
３２  流入口
３３  第１流出口
３４  第２流出口
４１  段差部（支持部）
４２  支持溝
４３  確認部
４５  突起
５１  インバート部
５２  突出部
５３  把持部
７０  貯留槽
【図１】
0006348034.tif 000002
【図２】
0006348034.tif 000003
【図３】
0006348034.tif 000004
【図４】
0006348034.tif 000005
【図５】
0006348034.tif 000006
【図６】
0006348034.tif 000007
【図７】
0006348034.tif 000008
【図８】
0006348034.tif 000009
【図９】
0006348034.tif 000010
【図１０】
0006348034.tif 000011
【図１１】
0006348034.tif 000012
【図１２】
0006348034.tif 000013
【図１３】
0006348034.tif 000014
【図１４】
0006348034.tif 000015
【図１５】
0006348034.tif 000016
【図１６】
0006348034.tif 000017
【図１７】
0006348034.tif 000018